(57)【特許請求の範囲】
【請求項１】
ケース内に収容される表面円滑な粒体と、
前記粒体を前記ケースの上面で封止する表面が摩擦係数の大きい柔軟シートを備えることを特徴とする携帯電話機用の汎用載置台。
【請求項２】
前記粒体の直径は２〜６ｍｍであることを特徴とする請求項１記載の携帯電話機用の汎用載置台。
【請求項３】
携帯電話機のボタンを操作する窓をもち、電磁遮蔽壁で覆われる携帯電話機用試験器内に配置されることを特徴とする請求項１および請求項２記載の携帯電話機用の汎用載置台。
【発明の詳細な説明】
【０００１】
【発明の属する技術分野】
この発明は、携帯電話機用の汎用の載置台についてのものである。特に、携帯電話機の外形が異なっても、柔軟に汎用的に安定して載置できる台についてのものである。例えば、携帯電話機用載置台は携帯電話機用試験器内に配置される。
【０００２】
【従来の技術】
ＰＨＳ（パーソナル・ハンディホーン・システム）または、ＰＤＣ（パーソナル・ディジタルセルラ・コミニュケーションシステム）で使用される簡易型携帯電話機および携帯電話機の意匠は、製造会社により様々である。携帯電話機は掌握を容易にするため、一般に、軽量であり、外形は曲面体となっている。図３は、このような携帯電話機の外観図である。
【０００３】
図３に示される携帯電話機は、例えば、携帯電話機用試験器内の台に載置される。携帯電話機用試験器は疑似的な基地局として、携帯電話機との間で無線による接続機能を試験する。
【０００４】
図４は、前述の携帯電話機用試験器（以下、電話試験器と略称する。）の構成図である。図４の２は電話試験器、３は載置台、４は携帯電話機である。図４において、携帯電話機４は電話試験器２上面の載置台３に置かれる。
【０００５】
図４の電話試験器２で、携帯電話機４の性能が試験される場合は、図５に示されるように、蓋が閉められる。図５において、携帯電話機４のアンテナと外部のアンテナが通信しないよう、電話試験器２の外面は電磁遮蔽壁２Ｂで覆われる。また、電話試験機２のボタンが操作できる窓２Ａが前記蓋に形成されている。外部の電波を遮蔽するためには、窓２Ａはできる限り小さいほうがよい。また、窓２Ａはボタン配列に合わせて、複数の穴をあけてもよい。
【０００６】
図６は載置台３の外観図である。載置台３は図６に示されるように、板上になっており、ゴムや合成樹脂で成型されている。
【０００７】
【発明が解決しようとする課題】
一般に、携帯電話機は専用の載置台が用意されている。しかし、電話試験器などでは、外形が多種の携帯電話機を試験するので、図６に示される板状の汎用載置台では携帯電話機の姿勢が安定しないという問題がある。図７は、底面が一部突出した携帯電話機４を載置台３に置いている。図７でＡの方向にボタンを押すと、携帯電話機４が揺動するのでボタンが押しにくいという問題がある。
【０００８】
この発明は、携帯電話機の外形が異なっても、柔軟に汎用的に安定して載置できる台の提供を目的とする。
【０００９】
【課題を解決するための手段】
この目的を達成するために、この発明は、ケース１Ａ内に収容される表面円滑な粒体１Ｂと、粒体１Ｂをケース１Ａの上面で封止する表面が摩擦係数の大きい柔軟シート１Ｃを備えることを特徴とする。
【００１０】
前記粒体１Ｂの直径は好ましくは、２〜６ｍｍであることを特徴とする。
【００１１】
また、この発明の載置台は、携帯電話機のボタンを操作する窓２Ａをもち、電磁遮蔽壁２Ｂで覆われる携帯電話機用試験器内に配置されることを特徴とする。
【００１２】
載置台に携帯電話機を置くと、携帯電話機の自重で携帯電話機の載置面形状に合わせて、粒体は柔軟シートで密封されたケース内で移動する。携帯電話機の自重と粒体の移動が均衡すると、表面が摩擦係数の大きい柔軟シートに携帯電話機が適正に弱埋没し、携帯電話機の姿勢が安定し、ボタン操作が容易になる。
【００１３】
【発明の実施の形態】
以下、この発明の一実施の形態を図面を参照して説明する。図１は、この発明の一実施の形態による携帯電話機用の汎用載置台の構成図である。図１（ａ）はこの発明による載置台１の縦断面図、図１（ｂ）は横断面図である。図１の１Ａはケース、１Ｂは粒体、１Ｃはシートである。
【００１４】
図１において、ケース１Ａ内には、表面が円滑な粒体１Ｂが収容される。柔軟シート１Ｃは、粒体１Ｂをケース１Ａの上面で封止する。柔軟シート１Ｃは表面が摩擦係数の大きい、例えば、シリコンゴムなどの材質を使用する。更に、柔軟シート１Ｃは、携帯電話機４の自重が粒体１Ｂの移動と均衡して、弱埋没する程度の厚さにする。実施例では、柔軟シート１Ｃの厚さは  ０．５ｍｍとした。柔軟シート１Ｃとケース１Ａは肉厚を変えて一体に成型してもよい。
【００１５】
図１において、粒体１Ｂの直径は、好ましくは、２〜６ｍｍの間である。実施例では、射出成型用の原料となる合成樹脂粒を使用したが、表面が円滑な材料としてガラス球なども好適である。更に、粒体１Ｂは球体にとどまることなく、短径と長径に比較的差のない楕円体であってもよい。
【００１６】
載置台１に携帯電話機４を置くと、密封されたケース１Ａ内の粒体１Ｂの容積は変わらないので、携帯電話機４の自重で携帯電話機４の載置面形状に合わせて、粒体１Ｂはケース１Ａ内を移動する。携帯電話機４の自重と粒体１Ｂの移動が均衡すると、柔軟シート１Ｃに携帯電話機４が適正に弱埋没し、携帯電話機４の姿勢が安定する。更に、柔軟シート１Ｃは表面の摩擦係数が大きいので、携帯電話機４のボタンを押しても、携帯電話機４が滑ることはない。
【００１７】
図２は、この発明による載置台１の外観図である。図４に示された携帯電話機４のボタンを操作する窓２Ａをもち、電磁遮蔽壁２Ｂで覆われる携帯電話機用試験器内２に、従来の載置台３に換えて、この発明による載置台１を使用すれば、ボタン操作が容易になる。
【００１８】
なお、この発明による携帯電話機の載置台は、携帯電話機用試験器に用途を限定されない。多様な携帯電話機を汎用的に安定して載置する場合は、この発明による携帯電話機の載置台が必要とされる。
【００１９】
【発明の効果】
この発明の載置台は、ケース内に収容される表面円滑な粒体と、前記粒体を前記ケースの上面で封止する表面が摩擦係数の大きい柔軟シートを備えているので、携帯電話機の外形が異なっても、携帯電話機を柔軟に汎用的に安定して載置できる。また、携帯電話機用試験器用としてこの発明の載置台を使用すれば、携帯電話機のボタン操作が容易になる。
【図面の簡単な説明】
【図１】この発明の一実施の形態による携帯電話機用の汎用載置台の構成図である。
【図２】図１の外観図である。
【図３】携帯電話機の外観図である。
【図４】携帯電話機用試験器の構成図である。
【図５】図４の状態変化図である。
【図６】従来技術による携帯電話機用の汎用載置台の構成図である。
【図７】図６の状態変化図である。
【符号の説明】
１  載置台
１Ａ  ケース
１Ｂ  粒体
１Ｃ  シート
２  携帯電話機用試験機
２Ａ  窓
２Ｂ    電磁遮蔽壁
【図１】
0003560089.tif 000002
【図２】
0003560089.tif 000003
【図３】
0003560089.tif 000004
【図４】
0003560089.tif 000005
【図５】
0003560089.tif 000006
【図６】
0003560089.tif 000007
【図７】
0003560089.tif 000008